(57)【特許請求の範囲】
【請求項１】
前後および左右に互いに離間させて床面に立設した４本の支柱と、
前後の支柱同士を互いに連結する左右１対の側部連結材と、
前記両側部連結材により支持された棚板と、
前記棚板と各側部連結材との左右方向の移動を阻止する拘束手段とを備え、
前記棚板の下方に、物品を前方より前記床面に沿って出し入れ可能な収納空間を形成し、
前記拘束手段は、前記側部連結材に設けた被係合部に係合する係合片と、前記棚板に結合される固定片とを有する結合金具を備え、
前記棚板は、前端から垂下する垂下片と、その下端より後方を向く折返し片とを有し、前記結合金具の前記係合片を前記側部連結材の前記被係合部に係合させたとき、前記固定片が前記折返し片上に重合するようにし、その重合部において、前記固定片と前記折返し片とを締着手段をもって締着したことを特徴とする組立棚。
【請求項２】
前記側部連結材は、下端より内側方を向く棚板受片を有しており、この棚板受片上に前記棚板を載置し、かつ前記結合金具は、前記側部連結材の外側面に設けた被係合部に係合する係合片が設けられた側片と、この側片の下端から前記側部連結材の棚板受片の下方を通って内方を向く底片と、前記棚板受片より内方において、前記底片の内端より起立する起立片と、この起立片の上端に連設された前記固定片とを備えているものとした請求項１記載の組立棚。
【請求項３】
前記起立片を、前記側部連結材の棚板受片の内端より、その上面にオーバーハングするように、外向きに傾斜させてなる請求項２記載の組立棚。
【請求項４】
前記側部連結材の外側面を、後方に向けて開口するように切り起こすことにより、その後方を向く開口を前記被係合部とし、これに、前記結合金具における係合片を、後方より差し込んで係合させるようにした請求項２または３記載の組立棚。
【請求項５】
前後の支柱間に、複数の側部連結材を互いに上下方向に離間するようにして架設し、上下複数段の棚板の側端部を、等高とした左右の側部連結材にそれぞれ支持させ、かつ最下段の棚板とそれを支持する側部連結材との左右方向の移動を、拘束手段をもって拘束した請求項１〜４のいずれかに記載の組立棚。
【発明の詳細な説明】
【技術分野】
【０００１】
本発明は、組立棚に関し、より詳しくは、棚構造体の強度を維持しつつ、前面下部に、台車やストッカ、保管物品等を出し入れ可能な収納空間を形成しうるようにした組立棚に関する。
【背景技術】
【０００２】
従来の組立棚は、床面に４本の支柱を、互いに前後および左右に離間させて立設し、前後の支柱の上部同士、中間部同士および下部同士を、前後方向を向く側部連結材により連結し、かつ左右の支柱の上部同士および下部同士を、左右方向を向く前部および後部連結材により連結することによってフレームを形成し、さらに、等高とした左右の側部連結材に、複数段の棚板の側端部をそれぞれ支持させるようにしたものが多い(例えば特許文献１または２参照)。
この場合、各棚板は、左右の側部連結材に設けた棚板受片上に載置されているだけである。
【０００３】
また、上記のような組立棚における下方の前部連結材と底板等を省略し、最下段の棚板の下方に、台車やストッカ、保管物品等を前方より床面に沿って出し入れしうるようにした収納空間を形成したものもある(例えば特許文献３または４参照)。
【先行技術文献】
【特許文献】
【０００４】
【特許文献１】特許第４５６８６１３号公報
【特許文献２】実用新案登録第２５５２７８６号公報
【特許文献３】特許第４２６３８２１号公報
【特許文献４】特許第４８１２０６２号公報
【発明の概要】
【発明が解決しようとする課題】
【０００５】
特許文献３および４に記載されている組立棚のように、最下段の棚板の下方に、上記のような収納空間を形成したものにおいては、前方の左右の支柱の下端部同士が開放し、フレームの強度が著しく低下するため、特許文献３に記載されているものにおいては、前後方向を向く脚杆の前後部に前後の支柱を立設し、左右の脚杆の後端部同士、および後方の左右の支柱同士を、左右方向を向く複数の横杆をもって強固に固着しており、また特許文献４に記載されているものにおいては、後部連結材の両端に側部連結材の後端部を、接続部材をもって、直角を保つように結合することにより、前方に開口する平面視コ字状の連結枠を形成し、そのコーナー部と、側部連結材の前端部とに固着した延長部材に、各支柱を係止することにより、組立棚全体の強度を高めるようにしている。
【０００６】
したがって、特許文献３および４に記載されているものにおいては、部品点数が多く、構造が複雑化し、組み立て作業が繁雑になるだけでなく、特許文献１に記載されているような既存の組立棚との互換性がなくなり、コストアップの原因となっている。
【０００７】
本発明は、従来の技術が有する上記のような問題点に鑑みてなされたもので、特許文献１に記載されているような従来の組立棚との互換性を維持しつつ、多くの部品を追加することなく、最下段の棚板の下方に、物品を前方から床面に沿って出し入れしうる収納空間を形成したことに伴う強度の低下を補償し、もって十分な強度を維持することができ、しかも、構造および組み立て作業を簡素化しうるようにした組立棚を提供することを目的としている。
【課題を解決するための手段】
【０００８】
本発明によると、上記課題は、次のようにして解決される。
（１）前後および左右に互いに離間させて床面に立設した４本の支柱と、前後の支柱同士を互いに連結する左右１対の側部連結材と、前記両側部連結材により支持された棚板と、前記棚板と各側部連結材との左右方向の移動を阻止する拘束手段とを備え、前記棚板の下方に、物品を前方より前記床面に沿って出し入れ可能な収納空間を形成し、前記拘束手段は、前記側部連結材に設けた被係合部に係合する係合片と、前記棚板に結合される固定片とを有する結合金具を備え、前記棚板は、前端から垂下する垂下片と、その下端より後方を向く折返し片とを有し、前記結合金具の前記係合片を前記側部連結材の前記被係合部に係合させたとき、前記固定片が前記折返し片上に重合するようにし、その重合部において、前記固定片と前記折返し片とを締着手段をもって締着する。
【０００９】
このような構成によると、棚板と各側部連結材との左右方向の移動を、拘束手段により拘束するだけで、棚板を組立棚の強度維持部材の一部として採用し、組立棚全体の強度を高めることができ、もって、従来の組立棚との互換性を維持しつつ、多くの部品を追加することなく、最下段の棚板の下方に、物品を前方から床面に沿って出し入れしうる収納空間を形成したことに伴う強度の低下を補償し、十分な強度を維持することができる。
しかも、構造および組み立て作業を簡素化することができる。
また、拘束手段を、係合片と固定片とを有する、簡単な構造の結合金具により形成することができ、構造を簡素化できるだけでなく、係合片を側部連結材の被係合部に係合し、かつ固定片を棚板に固定するだけでよいので、組み立て作業も簡単である。
また、結合金具の側部連結材への取付作業を簡単としうるとともに、結合金具と棚板との結合部分を目立たなくすることができる。
【００１０】
（２）上記(１)項において、前記側部連結材は、下端より内側方を向く棚板受片を有しており、この棚板受片上に前記棚板を載置し、かつ前記結合金具は、前記側部連結材の外側面に設けた被係合部に係合する係合片が設けられた側片と、この側片の下端から前記側部連結材の棚板受片の下方を通って内方を向く底片と、前記棚板受片より内方において、前記底片の内端より起立する起立片と、この起立片の上端に連設された前記固定片とを備えているものとする。
【００１１】
このような構成によると、棚板を側部連結材の棚板受片上に載置して、安定した状態で、結合金具の固定片と棚板との固定作業を楽に行うことができる。
【００１２】
（３）上記(２)項において、前記起立片を、前記側部連結材の棚板受片の内端より、その上面にオーバーハングするように、外向きに傾斜させる。
【００１３】
このような構成によると、結合金具の側片を側部連結材の外側面に当接し、かつ外向きに傾斜した起立片を側部連結材の棚板受片に係合させることにより、結合金具を側部連結材の下部に係止させておくことができるので、組み立て作業時に便利である。
【００１４】
（４）上記(２)又は(３)項において、前記側部連結材の外側面を、後方に向けて開口するように切り起こすことにより、その後方を向く開口を前記被係合部とし、これに、前記結合金具における係合片を、後方より差し込んで係合させるようにする。
【００１５】
このような構成によると、結合金具を側部連結材の下端部に係合させた後、前方に移動して、係合片を、側部連結材の外側面における被係合部である開口に、後方から簡単に係合させることができ、組み立て作業を楽に行うことができるとともに、被係合部を簡単に形成することができる。
【００１６】
（５）上記（１）〜(４)項のいずれかにおいて、前後の支柱間に、複数の側部連結材を互いに上下方向に離間するようにして架設し、上下複数段の棚板の側端部を、等高とした左右の側部連結材にそれぞれ支持させ、かつ最下段の棚板とそれを支持する側部連結材との左右方向の移動を、拘束手段をもって拘束する。
【００１７】
このような構成によると、最下段の棚板とそれを支持する側部連結材とを、拘束手段により拘束するだけで、その最下段の棚板を組立棚の強度維持部材の一部として採用し、組立棚の強度を高めることができる。
その他の棚板とそれを支持する側部連結材とは、必要に応じて拘束手段により拘束すればよい。
【００１８】
（６）上記(４)または(５)項において、前記側部連結材の外側面を、後方に向けて開口するように切り起こすことにより、その後方を向く開口を前記被係合部とし、これに、前記結合金具における係合片を、後方より差し込んで係合させるようにする。
【００１９】
このような構成によると、結合金具を側部連結材の下端部に係合させた後、前方に移動して、係合片を、側部連結材の外側面における被係合部である開口に、後方から簡単に係合させることができ、組み立て作業を楽に行うことができるとともに、被係合部を簡単に形成することができる。
【００２０】
（７）上記(１)〜(６)項のいずれかにおいて、前後の支柱間に、複数の側部連結材を互いに上下方向に離間するようにして架設し、上下複数段の棚板の側端部を、等高とした左右の側部連結材にそれぞれ支持させ、かつ最下段の棚板とそれを支持する側部連結材との左右方向の移動を、拘束手段をもって拘束する。
【００２１】
このような構成によると、最下段の棚板とそれを支持する側部連結材とを、拘束手段により拘束するだけで、その最下段の棚板を組立棚の強度維持部材の一部として採用し、組立棚の強度を高めることができる。
その他の棚板とそれを支持する側部連結材とは、必要に応じて拘束手段により拘束すればよい。
【発明の効果】
【００２２】
本発明によると、従来の組立棚との互換性を維持しつつ、多くの部品を追加することなく、最下段の棚板の下方に、物品を前方から床面に沿って出し入れしうる収納空間を形成したことに伴う強度の低下を補償し、もって十分な強度を維持することができ、しかも、構造および組み立て作業を簡単化しうるようにした組立棚を提供することができる。
【図面の簡単な説明】
【００２３】
【図１】本発明の組立棚の一実施形態を、前面右上方より見た斜視図である。
【図２】同じく、前方の支柱と側部連結材と棚板との結合部分の拡大分解斜視図である。
【図３】同じく、図２と同様の部分における結合金具取付手順を示す説明図である。
【図４】同じく、図２と同様の部分におけるユリアねじの取付け時の状況を示す説明図である。
【図５】同じく、図２と同様の部分の拡大正面図である。
【図６】図５のVI−VI線における横断平面図である。
【図７】図６のVII−VII線における縦断正面図である。
【図８】図７のVIII−VIII線における縦断側面図である。
【発明を実施するための形態】
【００２４】
以下、本発明の組立棚の一実施形態を、図面を参照して説明する。
図１に示すように、この組立棚は、前後および左右に互いに離間させて床面１に立設した４本の支柱２と、前後の支柱２、２の上部同士および下部同士を連結する側部連結材３と、後方の左右の支柱２、２の上部同士および下部同士を連結する後部連結材４と、前方の左右の支柱２、２の上部同士を連結する前部連結材５とからなるフレーム６を備えている。
このフレーム６の各構成部材の結合構造および組み立て方に関しては、本発明には直接関係しないので、その詳細な説明は省略する。
【００２５】
このフレーム６は、組立棚における強度維持部材の主要部をなしているが、前方の左右の支柱２、２の下部同士が、前部連結材５によって連結されていないため、強度的に十分とはいえない。
【００２６】
前後の支柱２、２の中間部同士は、互いに上下方向に離間する複数の側部連結材７によっても、互いに連結されている。
この側部連結材７は、前後の支柱２、２の上部同士および下部同士を連結する側部連結材３と形状を異ならせてあるが、同一形状とすることもある。
【００２７】
左右に対向する等高とした側部連結材７、７には、棚板８の側端部がそれぞれ支持されている。
この例では、棚板８を４段とし、最下段の棚板８の下方には、台車やストッカ、保管物品等(いずれも図示略)を、前方より床面１に沿って出し入れしうるようにした収納空間９が形成されている。
【００２８】
次に、図２〜図８を参照して、棚板８と、それを支持する側部連結材７と、支柱２との関係について詳細に説明する。
各支柱２は、前方のものは後方に、かつ後方のものは前方に向かって開口する平面視ほぼコ字形の断面をなし、その左右の側面には、下部の幅を上部の幅より小としたほぼ倒立台形状の複数の係合孔１０が、上下方向に等間隔に並べて設けられている。
【００２９】
各側部連結材７は、前後方向に長い垂直の基片７ａと、この基片７ａの上端より外側方に直角に折曲形成され、前後長を基片７ａの前後長より短くすることにより、前後の支柱２、２の対向面間に進入するようにした外向折曲片７ｂと、基片７ａの下端より内側方に直角に折曲形成され、棚板８の側端部を受支するようにした棚板受片７ｃと、基片７ａの前後の端部より内側方に平面視において直角に折曲形成され、棚板受片７ｃ上に載置された棚板８の側端部を前後から挟むことにより、側部連結材７に対する棚板８の前後方向の移動を阻止するようにした短寸の内向突片７ｄ(後方のものは図示略)とからなっている。
【００３０】
基片７ａの前後の端部には、前後の支柱２、２の内側面に設けた係合孔１０に係止しうるようにした上下２個の係止片１１、１１が外下向きに切り起こされている(後方のものは図示略)。
【００３１】
基片７ａにおける係止片１１、１１より前後方向の内側には、外側方に台形状に突出させることにより、前後に開口１２が形成されるようにした切り起し片１３(後方のものは図示略)が設けられている。
この前方の切り起し片１３の前端は、前方の支柱２の後面に、また後方の切り起し片(図示略)の後端は、後方の支柱２の前面に当接することにより、前後の支柱２、２が互いに内方に移動するのを阻止するようになっている。
また、前方の切り起し片１３における後方の開口１２は、後述する結合金具１６における係合片１８を、後方より差し込んで係合させる被係合部をなしている。
【００３２】
側部連結材７における外向折曲片７ｂの前後の端部、および棚板受片７ｃの前後の端部には、塗装時に側部連結材７を吊支するための吊り孔１４、１５が設けられている(後方のものは図示略)。
【００３３】
各側部連結材７は、前方の切り起し片１３の前端が前方の支柱２の後面に、また後方の切り起し片(図示略)の後端が後方の支柱２の前面に当接するようにして、また、外向折曲片７ｂが前後の支柱２、２間に進入するようにして、基片７ａの前後の端部を前後の支柱２、２の内側面に当接し、基片７ａの前後の端部に設けた２個の係止片１１、１１を、前後の支柱２、２の内側面に設けた互いに等高をなす係合孔１０、１０に嵌合し、かつわずかに下降させて、その下縁に係止させることにより、前後の支柱２、２に強固に係止されている。
【００３４】
各棚板８は、水平の上面板８ａと、その左右の側端より垂下する側片８ｂと、上面板８ａの前端から垂下する垂下片８ｃと、その下端より後方を向く折返し片８ｄと、その後端より起立する短寸の起立片８ｅとを有している。
上面板８ａの後端には、前端における垂下片８ｃ、折返し片８ｄおよび起立片８ｅと前後対称形をなす垂下片、折返し片および起立片が設けられているが、それらは本発明に直接関係しないため、図示および詳細な説明は省略する。
【００３５】
各棚板８は、左右の端部を、互いに等高をなす左右の側部連結材７、７における前後の内向突片７ｄ、７ｄ間に挟まれるようにして、棚板受片７ｃ上に載置することにより、フレーム６内に安定よく支持されている。
【００３６】
棚板８の左右の端部を、左右の側部連結材７、７における棚板受片７ｃ上に載置しただけでは、棚板８が組立棚の強度維持部材となることはなく、単にフレーム６によって支持される部材でしかない。
【００３７】
そのため、この実施形態においては、最下段の棚板８とそれを支持する左右の側部連結材７とを、拘束手段をなす結合金具１６をもって結合し、それらの左右方向の移動を阻止することにより、最下段の棚板８を、フレーム６の上下方向の中間部に位置する強度維持部材の一部とし、もって、最下段の棚板８の下方に、収納空間９を形成しても、前方の左右の支柱２、２の下端部が拡開するのを阻止するとともに、全支柱２が左右方向に揺動するのを防止し、組立棚全体の強度を高めることができるようにしてある。
【００３８】
結合金具１６は、側部連結材７の外側面に当接するようにした上下方向を向く側片１６ａと、この側片１６ａの下端から側部連結材７の棚板受片７ｃの下方を通って内方を向く底片１６ｂと、棚板受片７ｃより内方において、底片１６ｂの内端より起立する起立片１６ｃと、この起立片１６ｃの上端に連設された水平の固定片１６ｄとからなっている。
【００３９】
側片１６ａの前縁における上下方向の中間部に、後方に凹入する方形の切欠き１７を設けることにより、側片１６ａの前上部には、側部連結材７における被係合部である切り起し片１３の後方の開口１２に後方より差し込んで係合しうるようにした、前方を向く係合片１８が形成されている。
【００４０】
底片１６ｂは、側片１６ａの下端より内方に向かうにしたがって前縁が前方にせり出すようにした平面視台形状をなし、その内端から起立する起立片１６ｃは、係合片１８を側部連結材７の開口１２に後方より差し込んで係合させたとき、側部連結材７の棚板受片７ｃの内端より、その上面上にオーバーハングするように、外側方上向きに傾斜させてある。
このように、起立片１６ｃを外上向きに傾斜させておくと、結合金具１６の側片１６ａを側部連結材７の外側面に当接し、かつ外向きに傾斜した起立片１６ｃを側部連結材７の棚板受片７ｃに係合させることにより、結合金具１６を側部連結材７の下部に係止させておくことができるので、組み立て作業が楽になる。
なお、起立片１６ｃを垂直とすることもある。
【００４１】
固定片１６ｄは、前方に向かうにしたがって横幅を大とし、起立片１６ｃより前方に突出する前端部は平面視方形とし、その中央には上下方向を向くねじ挿通孔１９が設けられ、その上方には、ねじ孔２０ａがねじ挿通孔１９と整合するようにした角形のナット２０が、固定片１６ｄの上面に溶接により固着されている。
【００４２】
結合金具１６における底片１６ｂの上面から固定片１６ｄの下面までの距離は、側部連結材７における棚板受片７ｃの厚さと、棚板８における折返し片８ｄの下面から起立片８ｅの上端までの距離との和とほぼ等しくしてある。
【００４３】
次に、結合金具１６の取り付け方について説明する。
左右の側部連結材７、７を、前後の支柱２、２に、上述したようにして取り付け、かつ左右の側部連結材７、７の棚板受片７ｃ、７ｃに、最下段の棚板８の左右の側端部を、上述したようにして載置した後、結合金具１６を、図３中にＡとして示すように、側片１６ａが下方において水平をなし、かつ固定片１６ｄが上方において垂直をなす向きとし、その状態で、水平とした側片１６ａを、側部連結材７の内方より、その棚板受片７ｃの下面に摺接させつつ、外側方に移動させ、図３中にＢとして示すように、棚板受片７ｃの内端が、結合金具１６における底片１６ｂに当接した後は、底片１６ｂを棚板受片７ｃの内端に摺接させて下降させつつ、結合金具１６全体を、前後方向を向く軸回りに、正面から見て時計回りに９０度回転させ、図３中にＣとして示すように、側片１６ａを側部連結材７における基片７ａの外側面に当接させ、かつ底片１６ｂを側部連結材７における棚板受片７ｃの下面に当接させる。
【００４４】
次いで、そのままの状態で、側片１６ａを側部連結材７における基片７ａの外側面に沿って、また底片１６ｂを側部連結材７における棚板受片７ｃの下面に沿って前方に摺動させつつ、結合金具１６全体を前方に移動し、係合片１８を、側部連結材７における開口１２に後方より差し込んで係合させる。
【００４５】
その途中において、結合金具１６における固定片１６ｄの前端部は、棚板８における起立片８ｅの上端の上方を通って前方に移動し、図４中にＤとして示すように、結合金具１６における係合片１８が側部連結材７における開口１２に完全に差し込まれて係合したときは、固定片１６ｄの前端部が、棚板８における折返し片８ｄの上方に、起立片８ｅの高さ分だけ離間して重合し、その重合部の中央において、固定片１６ｄにおけるねじ挿通孔１９、およびナット２０のねじ孔２０ａが、棚板８における折返し片８ｄの両側部に設けた、本来は塗装時用の吊り孔であるねじ挿通孔２１と整合するようにしてある。
なお、ねじ挿通孔２１は、ここでは円形孔としてあるが、左右方向の長孔とすることもある。
【００４６】
その後、図４に示すように、上下方向を向く雄ねじ部２２ａの下端に、つまみ用の拡大頭部２２ｂが連設されたユリアねじ２２における雄ねじ部２２ａを、棚板８のねじ挿通孔２１、および結合金具１６におけるねじ挿通孔１９を通して、ナット２０のねじ孔２０ａに下方より螺合させて締め付けることにより、結合金具１６の固定片１６ｄと棚板８の折返し片８ｄとは、間に起立片８ｅによって形成される空間を挟んで強力に締着される。
【００４７】
棚板８における起立片８ｅを省略して実施することもあり、その場合は、結合金具１６の固定片１６ｄは、棚板８の折返し片８ｄの上面に直接当接して、ユリアねじ２２により締着される。
【００４８】
最下段の棚板８と、それを支持する左右の側部連結材７とは、上記のようにして、結合金具１６と、締着手段であるユリアねじ２２とによって、互いに強力に結合され、それらの左右方向の移動が阻止され、もって、最下段の棚板８の下方に、物品を前方から床面１に沿って出し入れしうる収納空間９を形成したことに伴う強度の低下を補償し、十分な強度を維持することができる。
【００４９】
この実施形態においては、最下段の棚板８と、それを支持する左右の側部連結材７とのみを、拘束手段である結合金具１６により、左右方向の移動を拘束するようにしてあるが、必要に応じて、他の棚板８と、それを支持する左右の側部連結材７との間にも、拘束手段を設けて、それらの左右方向の移動を拘束するようにしてもよい。
【００５０】
本発明は、上記実施形態のみに限定されるものではなく、特許請求の範囲を逸脱することなく、例えば、次のような幾多の変形した態様での実施が可能である。
(１)  被係合部や拘束手段や締着手段を、上記実施形態における切り起し片１３の開口１３や結合金具１６やユリアねじ２２以外の構成のものとする。
(２)  側部連結材７における棚板受片７ｃに設けた吊り孔１５と、棚板８における折返し片８ｄに設けたねじ挿通孔２１と、結合金具１６におけるねじ挿通孔１９およびナット２０のねじ孔２０ａがすべて整合するようにし、これらの吊り孔１５、ねじ挿通孔２１、１９にユリアねじ２２の雄ねじ部２２ａを挿通した後、ナット２０のねじ孔２０ａに螺合して締め付けることにより、側部連結材７の棚板受片７ｃと、棚板８の折返し片８ｄと、結合金具１６の固定片１６ｄとを共締めする。
(３)  収納空間９を形成する必要のないときは、前方の左右の支柱２、２の下部同士を、後方の左右の支柱２、２の下部同士を連結する後部連結材４と同様の前部連結材(図示略)をもって互いに連結し、それと、最下段の左右の側部連結材３、３および下方の後部連結材４との上に底板(図示略)を載置し、その底板上に物品を載置しうるようにする。
【符号の説明】
【００５１】
１  床面
２  支柱
３  側部連結材
４  後部連結材
５  前部連結材
６  フレーム
７  側部連結材
７ａ基片
７ｂ外向折曲片
７ｃ棚板受片
７ｄ内向突片
８  棚板
８ａ上面板
８ｂ側片
８ｃ垂下片
８ｄ折返し片
８ｅ起立片
９  収納空間
１０  係合孔
１１  係止片
１２  開口(被係合部)
１３  切り起し片
１４、１５  吊り孔
１６  結合金具(拘束手段)
１６ａ側片
１６ｂ底片
１６ｃ起立片
１６ｄ固定片
１７  切欠き
１８  係合片
１９  ねじ挿通孔
２０  ナット
２０ａねじ孔
２１  ねじ挿通孔
２２  ユリアねじ(締着手段)
２２ａ雄ねじ部
２２ｂ拡大頭部
【図１】
0006680491.tif 000002
【図２】
0006680491.tif 000003
【図３】
0006680491.tif 000004
【図４】
0006680491.tif 000005
【図５】
0006680491.tif 000006
【図６】
0006680491.tif 000007
【図７】
0006680491.tif 000008
【図８】
0006680491.tif 000009